【手続補正書】
【提出日】平成24年7月17日(2012.7.17)
【手続補正１】
【補正対象書類名】特許請求の範囲
【補正対象項目名】請求項１
【補正方法】変更
【補正の内容】
【請求項１】
ポリマーにチオール基又はアミノ基を含んでいる分子を接合する方法であって、
該分子を一般式：
Ｘ−［Ｑ−Ｗ−（ＣＨ＝ＣＨ）n−ＣＨ＝ＣＨ2］m    （Ｖ）
（式中、
Ｘはポリマーを表し；
Ｑは連結基を表し；
Ｗはケト基又はエステル基−Ｏ−ＣＯ−を表し；
ｎは０又は１乃至４の整数を表し；そして
ｍは１乃至８の整数を表す。）で表される化合物と反応させることを含む方法。
【手続補正２】
【補正対象書類名】特許請求の範囲
【補正対象項目名】請求項８
【補正方法】変更
【補正の内容】
【請求項８】
前記式Ｖで表される化合物は、一般式：
Ｘ−［ＮＨ−ＣＯ−Ａｒ−Ｗ−（ＣＨ＝ＣＨ）n−ＣＨ＝ＣＨ2］m    （Ｖａ）
（式中、
Ａｒは未置換の又は置換アリール基を表す。）である、前記いずれかの請求項のうち１項に記載の方法。
【手続補正３】
【補正対象書類名】特許請求の範囲
【補正対象項目名】請求項９
【補正方法】変更
【補正の内容】
【請求項９】
前記Ａｒはアルキル基、−ＣＮ、−ＮＯ2、−ＣＯ2Ｒ、−ＣＯＨ、−ＣＨ2ＯＨ、−Ｃ
ＯＲ、−ＯＲ、−ＯＣＯＲ、−ＯＣＯ2Ｒ、−ＳＲ、−ＳＯＲ、−ＳＯ2Ｒ、−ＮＨＣＯＲ
、−ＮＲＣＯＲ、−ＮＨＣＯ2Ｒ、−ＮＲ．ＣＯ2Ｒ、−ＮＯ、−ＮＨＯＨ、−ＮＲ．ＯＨ、−Ｃ＝Ｎ−ＮＨＣＯＲ、−Ｃ＝Ｎ−ＮＲ．ＣＯＲ、−Ｎ+Ｒ3、−Ｎ+Ｈ3、−Ｎ+ＨＲ2、−Ｎ+Ｈ2Ｒ、ハロゲン原子、−Ｃ≡ＣＲ、−Ｃ＝ＣＲ2及び−Ｃ＝ＣＨＲ（各Ｒは独立し
てハロゲン原子又アルキル基、アリール基又はアルキル−アリール基を表す。）から選ばれる１つ以上の同一又は異なった置換基によって随意に置換されたフェニル基を表す、請求項８に記載の方法。
【手続補正４】
【補正対象書類名】特許請求の範囲
【補正対象項目名】請求項１２
【補正方法】変更
【補正の内容】
【請求項１２】
一般式：
Ｘ−［ＮＨ−ＣＯ−Ａｒ−Ｗ−（ＣＨ＝ＣＨ）n−ＣＨ＝ＣＨ2］m    （Ｖａ）
（式中、
Ｘはポリマーを表し；
Ｗはケト基又はエステル基−Ｏ−ＣＯ−を表し；
ｎは０又は１乃至４の整数を表し；
ｍは１乃至８の整数を表し；そして
Ａｒは未置換の又は置換されたアリール基を表す。）で表される化合物。
【手続補正５】
【補正対象書類名】特許請求の範囲
【補正対象項目名】請求項１３
【補正方法】変更
【補正の内容】
【請求項１３】
前記Ａｒはアルキル基、−ＣＮ、−ＮＯ2、−ＣＯ2Ｒ、−ＣＯＨ、−ＣＨ2ＯＨ、−Ｃ
ＯＲ、−ＯＲ、−ＯＣＯＲ、−ＯＣＯ2Ｒ、−ＳＲ、−ＳＯＲ、−ＳＯ2Ｒ、−ＮＨＣＯＲ、−ＮＲＣＯＲ、−ＮＨＣＯ2Ｒ、−ＮＲ．ＣＯ2Ｒ、−ＮＯ、−ＮＨＯＨ、−ＮＲ．ＯＨ、−Ｃ＝Ｎ−ＮＨＣＯＲ、−Ｃ＝Ｎ−ＮＲ．ＣＯＲ、−Ｎ+Ｒ3、−Ｎ+Ｈ3、−Ｎ+ＨＲ2、−Ｎ+Ｈ2Ｒ、ハロゲン原子、−Ｃ≡ＣＲ、−Ｃ＝ＣＲ2及び−Ｃ＝ＣＨＲ（各Ｒは独立し
てハロゲン原子又アルキル基、アリール基又はアルキル−アリール基を表す。）から選ばれる１つ以上の同一又は異なった置換基によって随意に置換されたフェニル基を表す、請求項１２に記載の化合物。
【手続補正６】
【補正対象書類名】明細書
【補正対象項目名】０００９
【補正方法】変更
【補正の内容】
【０００９】
発明の方法による直接的な生成物は一般式：
Ｘ−［Ｑ−Ｗ−（ＣＨ＝ＣＨ）n−（ＣＨ2）2−Ｚ］m  （ＩＩａ）
（式中、
Ｘ、Ｑ、Ｗ、ｎ及びｍは上述した意味であり、そして
Ｚはチオール基又はアミノ基を介して接合された前記分子を表す。）によって一般的に表され得る。必要に応じて、この式（ＩＩａ）で表される得られる化合物は他の望ましい生成物に変換され得る。
特に、一般式（ＩＩａ）で表される得られる化合物は一般式ＩＩ
Ｘ−［Ｑ−Ｗ’−（ＣＨ＝ＣＨ）n−（ＣＨ2）2−Ｚ］m  （ＩＩ）
（式中、Ｗ‘は電子求引性部分又は電子求引性部分の還元によって調製できる部分を表す。）
で表される化合物に変換され得る。
また、本発明は、第１観点として、ポリマーにチオール基又はアミノ基を含んでいる分子を接合する方法であって、
該分子を一般式：
Ｘ−［Ｑ−Ｗ−（ＣＨ＝ＣＨ）ｎ−ＣＨ＝ＣＨ2］ｍ  （Ｖ）
（式中、
Ｘはポリマーを表し；
Ｑは連結基を表し；
Ｗはケト基又はエステル基−Ｏ−ＣＯ−を表し；
ｎは０又は１乃至４の整数を表し；そして
ｍは１乃至８の整数を表す。）で表される化合物を反応させることを含む方法、に関する。
第２観点として、前記Ｑは直接結合、アルキレン基又は随意に置換されたアリール基又はヘテロアリール基であって、これらのうちどれでも１つ以上の酸素原  子、硫黄原子、−ＮＲ基（Ｒはハロゲン原子又はアルキル基、アリール基又はアルキル−アリール基を表す。）、ケト基、−Ｏ−ＣＯ−基、−ＣＯ−Ｏ−基及び  ／又は−ＮＲ．ＣＯ−基によって終端又は中断され得る、第１観点に記載の方法に関する。
第３観点として、前記Ｑは随意に置換されたヘテロアリール基又はアリール基であって、−ＮＲ．ＣＯ−基によって隣接した前記ポリマーＸが終端されている、第２観点に記載の方法に関する。
第４観点として、前記Ｘはポリアルキレングリコール、ポリビニルピロリドン、ポリアクリレート、ポリメタクリレート、ポリオキサゾリン、ポリビニルアルコール、ポリアクリルアミド、ポリメタクリルアミド、ＨＰＭＡコポリマー、ポリエステル、ポリアセタール、ポリ（オルトエステル）、ポリカーボネート、ポリ（イミノカーボネート）、ポリアミド、ジビニルエーテル−無水マレイン酸及びスチレン−無水マレイン酸のコポリマー、多糖、又はタンパク質である、第一観点乃至第３観点のいずれか１つに記載の方法に関する。
第５観点として、前記Ｘはポリアルキレングリコールである、第４観点に記載の方法に関する。
第６観点として、前記Ｘはポリエチレングリコールである、第５観点に記載の方法に関する。
第７観点として、前記ｎは０である、第１観点乃至第６観点のいずれか１つに記載の方法に関する。
第８観点として、前記式Ｖで表される化合物は、一般式：
Ｘ−［ＮＨ−ＣＯ−Ａｒ−Ｗ−（ＣＨ＝ＣＨ）ｎ−ＣＨ＝ＣＨ2］ｍ  （Ｖａ）
（式中、
Ａｒは未置換の又は置換アリール基を表す。）である、第１観点乃至第８観点のいずれか１つに記載の方法に関する。
第９観点として、前記Ａｒはアルキル基、−ＣＮ、−ＮＯ2、−ＣＯ2Ｒ、−ＣＯＨ、−ＣＨ２ＯＨ、−ＣＯＲ、−ＯＲ、−ＯＣＯＲ、−ＯＣＯ2Ｒ、−ＳＲ、−ＳＯＲ、−ＳＯ2Ｒ、−ＮＨＣＯＲ、−ＮＲＣＯＲ、−ＮＨＣＯ2Ｒ、−ＮＲ．ＣＯ2Ｒ、−ＮＯ、−ＮＨＯＨ、−ＮＲ．ＯＨ、−Ｃ＝Ｎ−ＮＨＣＯＲ、−Ｃ＝Ｎ−ＮＲ．ＣＯＲ、−Ｎ+Ｒ3、−Ｎ+
Ｈ3、−Ｎ+ＨＲ2、−Ｎ+Ｈ2Ｒ、ハロゲン原子、−Ｃ≡ＣＲ、−Ｃ＝ＣＲ2及び−Ｃ＝ＣＨＲ（各Ｒは独立してハロゲン原子又アルキル基、アリール基又はアルキル−アリール基を表す。）から選ばれる１つ以上の同一又は異なった置換基によって随意に置換されたフェニル基を表す、第８観点に記載の方法に関する。
第１０観点として、前記Ａｒはフェニル基を表す、第９観点に記載の方法に関する。
第１１観点として、前記分子はペプチド又はタンパク質である、第１観点乃至第１０観点のいずれか１つに記載の方法に関する。
第１２観点として、一般式：
Ｘ−［ＮＨ−ＣＯ−Ａｒ−Ｗ−（ＣＨ＝ＣＨ）ｎ−ＣＨ＝ＣＨ2］ｍ  （Ｖａ）
（式中、
Ｘはポリマーを表し；
Ｗはケト基又はエステル基−Ｏ−ＣＯ−を表し；
ｎは０又は１乃至４の整数を表し；
ｍは１乃至８の整数を表し；そして
Ａｒは未置換の又は置換されたアリール基を表す。）で表される化合物に関する。
第１３観点として、前記Ａｒはアルキル基、−ＣＮ、−ＮＯ2、−ＣＯ2Ｒ、−ＣＯＨ、−ＣＨ2ＯＨ、−ＣＯＲ、−ＯＲ、−ＯＣＯＲ、−ＯＣＯ2Ｒ、−ＳＲ、−ＳＯＲ、−ＳＯＲ、−ＮＨＣＯＲ、−ＮＲＣＯＲ、−ＮＨＣＯ2Ｒ、−ＮＲ．ＣＯ2Ｒ、−ＮＯ、−ＮＨＯＨ、−ＮＲ．ＯＨ、−Ｃ＝Ｎ−ＮＨＣＯＲ、−Ｃ＝Ｎ−ＮＲ．ＣＯＲ、−Ｎ+Ｒ3、−Ｎ+
Ｈ3、−Ｎ+ＨＲ2、−Ｎ+Ｈ2Ｒ、ハロゲン原子、−Ｃ≡ＣＲ、−Ｃ＝ＣＲ2及び−Ｃ＝ＣＨＲ（各Ｒは独立してハロゲン原子又アルキル基、アリール基又はアルキル−アリール基を表す。）から選ばれる１つ以上の同一又は異なった置換基によって随意に置換されたフェニル基を表す、第１２観点に記載の化合物に関する。
第１４観点として、前記Ａｒはフェニル基を表す、第１３観点に記載の化合物に関する。
第１５観点として、前記Ｘはポリアルキレングリコール、ポリビニルピロリドン、ポリアクリレート、ポリメタクリレート、ポリオキサゾリン、ポリビニルアルコール、ポリアクリルアミド、ポリメタクリルアミド、ＨＰＭＡコポリマー、ポリエステル、ポリアセタール、ポリ（オルトエステル）、ポリカーボネート、ポリ（イミノカーボネート）、ポリアミド、ジビニルエーテル−無水マレイン酸及びスチレン−無水マレイン酸のコポリマー、多糖、又はタンパク質である、第１２観点乃至第１４観点のいずれか１項に記載の化合物に関する。
第１６観点として、前記Ｘはポリアルキレングリコールである、第１５観点に記載の化合物に関する。
第１７観点として、前記Ｘはポリエチレングリコールである、請求項１７に記載の化合物に関する。
第１８観点として、前記ｎは０である、第１２観点乃至第１７観点のいずれか１つに記載の化合物に関する。
第１９観点として、前記Ｗはケト基を表す、第１２乃至第１８観点のいずれか１つに記載の化合物に関する。
第２０観点として、
式：
【化１】
2011252167.tif 000001
で表される、第１２観点に記載の化合物に関する。